(57)【要約】【課題】作業性を低下させることなく、コネクタ同士の嵌合状態の維持が可能な電気コネクタを提供する。【解決手段】リセプタクルコネクタ３０は、内部空間を形成する壁部のうちの、傾斜部３３ｂがプラグコネクタ２０を押した先の壁部Ｈｂ１に、内部空間に向けて突出した係止部３２ａを備える。プラグコネクタ２０は、傾斜部３３ｂによって押された際にリセプタクルコネクタ３０の係止部３２ａと当接する壁部Ｈａ３に、係止部３２ａに係合可能な、外部に向けて突出した係合部２２ｃを備える。【選択図】図８
2016025021.tif 000002
【特許請求の範囲】
【請求項１】
内部空間を形成するための絶縁性の壁部を有する第１のハウジング、及び前記内部空間を形成する壁部の一部に配置され前記第１のハウジングの外部に向かって延びた弾性導電体からなる第１のコンタクト、を有する第１のコネクタと、
前記第１のハウジングに形成された内部空間に少なくとも一部が挿入される、絶縁性の壁部を有する第２のハウジング、及び前記内部空間に面する壁部の一部に配置され前記第２のハウジングの外部に向かって延びた導電体からなる第２のコンタクト、を有する第２のコネクタと、を備え、
前記第１のハウジングに形成された内部空間に前記第２のハウジングの一部が挿入されて、前記第１のハウジングと前記第２のハウジングとが嵌合されると、前記第１のコンタクトと前記第２のコンタクトとが電気的に接続される電気コネクタであって、
前記第１のコンタクトは、
前記嵌合の際、前記第２のコンタクトに当接して前記第２のハウジングを弾性力で押す、前記挿入の方向に対して傾斜して前記壁部の一部に配置された傾斜部を備え、
前記第１のハウジングは、
前記内部空間を形成する壁部のうちの、前記傾斜部が前記第２のハウジングを押した先の壁部に、前記内部空間に向けて突出した係止部を備え、
前記第２のハウジングは、
前記傾斜部によって押された際に前記第１のハウジングの前記係止部と当接する壁部に、前記係止部に係合可能な、係合部を備える、
ことを特徴とする電気コネクタ。
【請求項２】
前記傾斜部は、前記第１のハウジングに形成された内部空間の底側から入口側に向かうに連れて、前記傾斜部が配置された前記壁部から離れるように、前記挿入の方向に対して傾斜している、
ことを特徴とする請求項１に記載の電気コネクタ。
【請求項３】
前記第１のコンタクトは、前記入口側に位置する前記傾斜部の端部に接続され、前記端部から前記入口側に向かうに連れて、前記傾斜部が配置された前記壁部に近づく平板からなる縁部を備える、
ことを特徴とする請求項２に記載の電気コネクタ。
【請求項４】
前記第２のコンタクトは、前記第１のハウジングに形成された内部空間に前記第２のハウジングの一部が挿入される際に、或いは、前記第１のハウジングに形成された内部空間から前記第２のハウジングの一部が抜去される際に、前記第１のコンタクトの前記傾斜部の傾斜に沿うようにして前記傾斜部と当接するように、前記挿入の方向に対して傾斜して配置されている、
ことを特徴とする請求項１に記載の電気コネクタ。
【発明の詳細な説明】
【技術分野】
【０００１】
本発明は、電気コネクタに関する。
【背景技術】
【０００２】
２つのコネクタが嵌め合わされることで、一方のコネクタが実装された基板と他方のコネクタが実装された基板とを電気的に接続するものとして、例えば特許文献１に記載の電気コネクタが知られている。
【０００３】
特許文献１に記載の電気コネクタでは、２つのコネクタが嵌合される際、一方のコネクタに取り付けられた第１補強金具の舌片部が、他方のコネクタに取り付けられた第２補強金具の溝部に係止される。
【０００４】
この係止により、フリクションロックが実現され、特許文献１に記載の電気コネクタでは、一方のコネクタと他方のコネクタが嵌合状態になる。
【先行技術文献】
【特許文献】
【０００５】
【特許文献１】特開２０１４−３８７６８号公報
【発明の概要】
【発明が解決しようとする課題】
【０００６】
特許文献１に記載の電気コネクタは、前述の通り、一方のコネクタと他方のコネクタとの嵌合を緩やかに保つフリクションロック型のコネクタである。このため、特許文献１に記載の電気コネクタは、一方のコネクタと他方のコネクタとの嵌合状態を維持するための機構（一方のコネクタと他方のコネクタとの嵌合を強固に保つロック機構）を備えない。
【０００７】
このようなフリクションロック型のコネクタでは、コネクタ同士を嵌合させる作業性を、或いは、一方のコネクタから他方のコネクタを抜去させる作業性を重視した場合、フリクションロックを維持する力を下げざるを得ない。フリクションロックを維持する力を下げた場合、不意な外力が電気コネクタに加わると、本来であれば嵌合を維持しなければならないところ、一方のコネクタから他方のコネクタが抜去されるという問題があった。
【０００８】
一方で、フリクションロック型のコネクタでは、不意の外力による抜去の防止を重視した場合、フリクションロックを維持する力を上げざるを得ない。フリクションロックを維持する力を上げた場合、コネクタ同士を嵌合させる際、或いは、一方のコネクタから他方のコネクタを抜去させる際に、より強い力が作業者に必要になる。このため、作業性が低下するという問題があった。
【０００９】
本発明は、上記実情に鑑みてなされたものであり、作業性を低下させることなく、コネクタ同士の嵌合状態の維持が可能な電気コネクタを提供することを目的とする。
【課題を解決するための手段】
【００１０】
上記目的を達成するために、この発明に係る電気コネクタは、
内部空間を形成するための絶縁性の壁部を有する第１のハウジング、及び前記内部空間を形成する壁部の一部に配置され前記第１のハウジングの外部に向かって延びた弾性導電体からなる第１のコンタクト、を有する第１のコネクタと、
前記第１のハウジングに形成された内部空間に少なくとも一部が挿入される、絶縁性の壁部を有する第２のハウジング、及び前記内部空間に面する壁部の一部に配置され前記第２のハウジングの外部に向かって延びた導電体からなる第２のコンタクト、を有する第２のコネクタと、を備え、
前記第１のハウジングに形成された内部空間に前記第２のハウジングの一部が挿入されて、前記第１のハウジングと前記第２のハウジングとが嵌合されると、前記第１のコンタクトと前記第２のコンタクトとが電気的に接続されるものであって、
前記第１のコンタクトは、
前記嵌合の際、前記第２のコンタクトに当接して前記第２のハウジングを弾性力で押す、前記挿入の方向に対して傾斜して前記壁部の一部に配置された傾斜部を備え、
前記第１のハウジングは、
前記内部空間を形成する壁部のうちの、前記傾斜部が前記第２のハウジングを押した先の壁部に、前記内部空間に向けて突出した係止部を備え、
前記第２のハウジングは、
前記傾斜部によって押された際に前記第１のハウジングの前記係止部と当接する壁部に、前記係止部に係合可能な、係合部を備える、
ことを特徴とする。
【００１１】
また、前記傾斜部は、前記第１のハウジングに形成された内部空間の底側から入口側に向かうに連れて、前記傾斜部が配置された前記壁部から離れるように、前記挿入の方向に対して傾斜している、
ものでもよい。
【００１２】
また、前記第１のコンタクトは、前記入口側に位置する前記傾斜部の端部に接続され、前記端部から前記入口側に向かうに連れて、前記傾斜部が配置された前記壁部に近づく平板からなる縁部を備える、
ものでもよい。
【００１３】
また、前記第２のコンタクトは、前記第１のハウジングに形成された内部空間に前記第２のハウジングの一部が挿入される際に、或いは、前記第１のハウジングに形成された内部空間から前記第２のハウジングの一部が抜去される際に、前記第１のコンタクトの前記傾斜部の傾斜に沿うようにして前記傾斜部と当接するように、前記挿入の方向に対して傾斜して配置されている、
ものでもよい。
【発明の効果】
【００１４】
本発明によれば、係止部、係合部が、即ち、一方のコネクタと他方のコネクタとの嵌合状態を維持するための機構が、第１のハウジングの壁部、第２のハウジングの壁部に備えられている。よって、第２のハウジングの一部が第１のハウジングに挿入されると、係止部と係合部とが係合して、コネクタ同士が嵌合状態になる。
【００１５】
また、本発明によれば、傾斜部の弾性力で押される方向とは逆方向に第２のハウジングが移動させられると、係止部と係合部との係合が解除される。この状態で、一方のコネクタと他方のコネクタとが引き離されれば、一方のコネクタが他方のコネクタから抜去される。或いは、係止部と係合部との係合部分を中心にして第２のハウジングが外部に向かって回動させられると、係止部と係合部との係合が解除され、更には、一方のコネクタと他方のコネクタとが引き離されて、一方のコネクタが他方のコネクタから抜去される。
【００１６】
このように、本発明の電気コネクタによれば、一般的なコネクタと同様な嵌合作業および抜去作業を実現できる。
【００１７】
ここで、第２のハウジングの一部が第１のハウジングに挿入されると、傾斜部の弾性力で第２のハウジングが押される。このため、係合部が係止部に押し当てられる。従って、本発明によれば、一方のコネクタが実装された基板または他方のコネクタが実装された基板に発生した煽りによって、或いは、それらの基板に対して垂直となる方向への作業者の引っ張り等によって、一方のコネクタと他方のコネクタとに、それらを引き離す力が加えられても、一方のコネクタと他方のコネクタとの嵌合状態の維持が可能である。
【００１８】
よって、本発明によれば、作業性を低下させることなく、コネクタ同士の嵌合状態の維持が可能である。
【図面の簡単な説明】
【００１９】
【図１】本発明の実施の形態に係る電気コネクタの斜視図である。
【図２】プラグコネクタの斜視図である。
【図３】プラグコネクタの平面図である。
【図４】（ａ）は、プラグコネクタの正面図であり、（ｂ）は、プラグコネクタのＡ−Ａ線における断面図である。
【図５】リセプタクルコネクタの斜視図である。
【図６】リセプタクルコネクタの平面図である。
【図７】（ａ）は、リセプタクルコネクタの正面図であり、（ｂ）は、リセプタクルコネクタのＢ−Ｂ線における断面図である。
【図８】（ａ）は、プラグコネクタとリセプタクルコネクタとが嵌合する前の状態を示す図であり、（ｂ）は、プラグコネクタとリセプタクルコネクタとのＣ−Ｃ線における断面図である。
【図９】（ａ）は、プラグコネクタとリセプタクルコネクタとが嵌合する直前の状態を示す図であり、（ｂ）は、プラグコネクタとリセプタクルコネクタとのＤ−Ｄ線における断面図である。
【図１０】（ａ）は、プラグコネクタとリセプタクルコネクタとが嵌合した状態を示す図であり、（ｂ）は、プラグコネクタとリセプタクルコネクタとのＥ−Ｅ線における断面図である。
【図１１】（ａ）は、プラグコネクタとリセプタクルコネクタとの嵌合を解除した状態を示す図であり、（ｂ）は、プラグコネクタとリセプタクルコネクタとのＦ−Ｆ線における断面図である。
【発明を実施するための形態】
【００２０】
以下、本発明の実施の形態に係る電気コネクタ１０を、図面を参照して説明する。なお、各図において、電気コネクタ１０の短手方向をｘ軸方向、長手方向をｙ軸方向、厚さ方向をｚ軸方向とする直交座標系を設定し、適宜参照する。また、各軸の矢印方向を＋（プラス）で示し、その反対方向を−（マイナス）で示す。
【００２１】
図１に示すように、電気コネクタ１０は、プラグコネクタ２０と、プラグコネクタ２０に嵌合されるリセプタクルコネクタ３０と、を備える。プラグコネクタ２０とリセプタクルコネクタ３０とが嵌合されると、プラグコネクタ２０の少なくとも一部が、リセプタクルコネクタ３０の内部空間に挿入される。
【００２２】
プラグコネクタ２０は、図２〜４に示すように、略矩形状のプラグ用ハウジング２１と、プラグ用コンタクト２３と、基板接続板２４と、を備える。
【００２３】
プラグ用ハウジング２１は、樹脂等の絶縁体から構成される壁部２２を有する。壁部２２は、リセプタクルコネクタ３０に形成された内部空間に挿入される（内部空間に面する）挿入壁部２２ａ１，２２ａ２，２２ａ３と、その内部空間に挿入されない外部壁部２２ｂと、からなる。
【００２４】
挿入壁部２２ａ１は、プラグ用コンタクト２３が配置される柱状の部材である。挿入壁部２２ａ１は、ｙ軸に沿って延設されている。挿入壁部２２ａ２は、挿入壁部２２ａ１の両端に接続された一対の平板状の部材である。挿入壁部２２ａ２は、ｘｚ平面に配置されている。挿入壁部２２ａ３は、挿入壁部２２ａ２同士に挟まれた平板状の部材である。挿入壁部２２ａ３は、ｘｙ平面に配置されている。
【００２５】
挿入壁部２２ａ１の壁面Ｈａ１，Ｈａ２，Ｈａ３のうち、外部壁部２２ｂに面した壁面Ｈａ１とは反対側の壁面Ｈａ３には、プラグ用ハウジング２１の外部に向けて突出した凸形状の係合部２２ｃが設けられている。この係合部２２ｃは、壁部２２と共に一体成形されている。
【００２６】
外部壁部２２ｂは、壁面Ｈａ１、挿入壁部２２ａ２および挿入壁部２２ａ３と共に、凹み状を形成する。この凹み状の部分は、嵌合の際、リセプタクルコネクタ３０の壁部の一部を覆うように配置される。
【００２７】
プラグ用ハウジング２１には、複数のプラグ用コンタクト２３がｙ軸に沿って所定のピッチで、挿入壁部２２ａ１（壁部２２の一部）に配置されている。プラグ用コンタクト２３は、金属等の導電体で形成されている。
【００２８】
プラグ用コンタクト２３は、図３、図４（ｂ）（図４（ａ）に示すＡ−Ａ線での断面）に示すように、一端が壁面Ｈａ１に面し、他端が壁面Ｈａ３からプラグ用ハウジング２１の外部に向かって延びている。
【００２９】
プラグ用コンタクト２３は、挿入壁部２２ａ１を貫通して配置された略Ｚ字状の貫通コンタクト２３ａと、その貫通コンタクト２３ａの端部（プラグ用ハウジング２１の内部に配置されている端部）に接続された略Ｊ字状の内部コンタクト２３ｂと、から構成されている。
【００３０】
貫通コンタクト２３ａの、プラグ用ハウジング２１の外部に配置されている端部は、例えば、ＦＰＣ（Flexible printed circuits）に設けられた端子にハンダ付けされる。
【００３１】
内部コンタクト２３ｂは、嵌合の際、後述するリセプタクルコネクタ３０のコンタクトに当接する。内部コンタクト２３ｂは、略Ｊ字状を構成する曲線部分２３ｂ１と、略Ｊ字状を構成する直線部分２３ｂ２と、から構成されている。
【００３２】
基板接続板２４は、挿入壁部２２ａ２に固着されている。基板接続板２４は、例えば金属製の平板が略Ｌ字状に折り曲げられて形成されたものである。
【００３３】
基板接続板２４は、略Ｌ字状を形成する一方の平板部分が、挿入壁部２２ａ２の内部に固着され、他方の平板部分が、外部に向かって延在している。外部に向かって延在している部分は、例えば、ＦＰＣの表面上の金属面にハンダ付けされ、ＦＰＣとプラグコネクタ２０との接続を強固にする。
【００３４】
リセプタクルコネクタ３０は、図５，６に示すように、略矩形状のリセプタクル用ハウジング３１と、リセプタクル用コンタクト３３と、基板接続板３４と、を備える。
【００３５】
リセプタクル用ハウジング３１は、樹脂等の絶縁体から構成される壁部３２を有する。壁部３２の壁面Ｈｂ１，Ｈｂ２，Ｈｂ３は、プラグコネクタ２０の少なくとも一部を収容するための、詳細には、プラグ用ハウジング２１の挿入壁部２２ａ１，２２ａ２，２２ａ３を収容するための、凹み状の内部空間ＳＰを形成する。
【００３６】
壁部３２には、内部空間ＳＰと外部とを繋げる接続空間ＳＱが設けられている。この接続空間ＳＱには、嵌合の際、挿入壁部２２ａ２が配置される。
【００３７】
内部空間ＳＰを形成する壁面Ｈｂ１，Ｈｂ２，Ｈｂ３のうち、リセプタクル用コンタクト３３が配置された壁部３２の壁面Ｈｂ３と対向する壁面Ｈｂ１には、内部空間ＳＰに向けて突出した係止部３２ａが設けられている。この係止部３２ａは、嵌合の際、プラグコネクタ２０の係合部２２ｃと係合可能に構成されている。また、この係止部３２ａは、壁部３２と共に一体成形されている。
【００３８】
リセプタクル用ハウジング３１には、複数のリセプタクル用コンタクト３３がｙ軸に沿って所定のピッチで配置されている。リセプタクル用コンタクト３３は、金属等の弾性導電体で形成されている。また、リセプタクル用コンタクト３３は、嵌合の際、プラグ用コンタクト２３に当接する位置に配置されている。
【００３９】
リセプタクル用コンタクト３３は、図７（ｂ）（図７（ａ）に示すＢ−Ｂ線での断面）に示すように、壁部３２の一部に配置され（詳細には、壁面Ｈｂ３を有する壁部３２に配置され）、リセプタクル用ハウジング３１の外部に向かって延びている。
【００４０】
リセプタクル用コンタクト３３は、壁面Ｈｂ３を有する壁部３２を挟むように取り付けられた柄杓状の取付コンタクト３３ａと、取付コンタクト３３ａの端部（詳細には、内部空間ＳＰの底側に配置されている端部）に接続された傾斜部３３ｂと、傾斜部３３ｂの端部（詳細には、内部空間ＳＰの入口側に配置されている端部）に接続された縁部３３ｃと、から構成されている。
【００４１】
取付コンタクト３３ａの、リセプタクル用ハウジング３１の外部に配置されている端部は、例えば、ＰＣＢ（Printed Circuit Board）に設けられた端子にハンダ付けされる。
【００４２】
傾斜部３３ｂは、プラグコネクタ２０の挿入の方向（−ｚ方向）に対して傾斜して、壁面Ｈｂ３を有する壁部３２に配置されている。詳細には、傾斜部３３ｂは、リセプタクル用ハウジング３１に形成された内部空間ＳＰの底側から入口側に向かうに連れて、傾斜部３３ｂが配置された壁部３２の壁面Ｈｂ３から離れるように、プラグコネクタ２０の挿入の方向に対して傾斜して、壁面Ｈｂ３を有する壁部３２に配置されている。
【００４３】
よって、嵌合の際、プラグ用コンタクト２３に当接した傾斜部３３ｂは、そのプラグ用コンタクト２３によって、壁部３２の壁面Ｈｂ３に近づく方向に押される（付勢される）。すると、傾斜部３３ｂは、押された力に対する反発力（弾性力）で、プラグ用コンタクト２３を押すことで、プラグ用ハウジング２１を＋ｘ方向に押す。
【００４４】
このため、プラグ用ハウジング２１は、嵌合の際、係止部３２ａが形成された壁面Ｈｂ１に、押し当てられる。
【００４５】
縁部３３ｃは、内部空間ＳＰの入口側にある傾斜部３３ｂの端部から、内部空間ＳＰの入口側に向かうに連れて、壁部３２の壁面Ｈｂ３に近づくように、傾斜部３３ｂの端部に接続されている。このように配置されているので、縁部３３ｃは、嵌合の際、当接したプラグ用コンタクト２３を傾斜部３３ｂに案内できる。
【００４６】
基板接続板３４は、リセプタクルコネクタ３０の壁部３２のうち、壁面Ｈｂ２を有する壁部３２に（リセプタクルコネクタ３０の長手方向の壁部３２に）、固着されている。基板接続板３４は、例えば金属製の平板が略Ｌ字状に折り曲げられて形成されものである。
【００４７】
基板接続板３４は、略Ｌ字状を形成する一方の平板部分が、壁面Ｈｂ２を有する壁部３２の内部に固着され、他方の平板部分が、外部に向かって延在している。外部に向かって延在している部分は、例えば、ＰＣＢの表面上の金属面にハンダ付けされ、ＰＣＢとリセプタクルコネクタ３０との接続を強固にする。
【００４８】
上述したプラグコネクタ２０（補強板が貼り付けられたＦＰＣに実装済み）と、上述したリセプタクルコネクタ３０（ＰＣＢに実装済み）とを嵌合させる場合、作業者は、図８（ｂ）（図８（ａ）のＣ−Ｃ線で示す断面）に示すように、プラグコネクタ２０の壁部２２を、リセプタクルコネクタ３０に形成された内部空間ＳＰに正対させる。
【００４９】
そして、作業者は、図９（ｂ）（図９（ａ）のＤ−Ｄ線で示す断面）に示すように、プラグコネクタ２０を−ｚ方向に移動させ、プラグコネクタ２０の挿入壁部２２ａ１，２２ａ２，２２ａ３を、リセプタクルコネクタ３０に形成された内部空間ＳＰの入口から挿入する。
【００５０】
このとき、内部コンタクト２３ｂの曲線部分２３ｂ１が、縁部３３ｃに当接する。ここで、縁部３３ｃは、前述の通り、内部空間ＳＰの底側に向かうに連れて、壁面Ｈｂ３から離れるように、配置されている。よって、縁部３３ｃは、プラグ用コンタクト２３を傾斜部３３ｂの端部に案内できる。
【００５１】
内部コンタクト２３ｂの曲線部分２３ｂ１が傾斜部３３ｂの端部に案内されると、内部コンタクト２３ｂの曲線部分２３ｂ１と縁部３３ｃとの当接が解除される。そして、内部コンタクト２３ｂの直線部分２３ｂ２が、傾斜部３３ｂに当接する。
【００５２】
ここで、内部コンタクト２３ｂの直線部分２３ｂ２は、傾斜部３３ｂと当接した際、傾斜部３３ｂの傾斜に沿うように、プラグコネクタ２０の挿入方向に対して傾斜して、挿入壁部２２ａ１に配置されている。
【００５３】
このため、内部コンタクト２３ｂの直線部分２３ｂ２は、傾斜部３３ｂの傾斜に沿うようにして傾斜部３３ｂに当接する。これにより、内部コンタクト２３ｂは、傾斜部３３ｂを確実に付勢できる。
【００５４】
付勢された傾斜部３３ｂは、プラグ用コンタクト２３を弾性力で押すことで、プラグ用ハウジング２１を＋ｘ方向に押し、プラグ用ハウジング２１を、リセプタクルコネクタ３０の壁面Ｈｂ１に押し当てる。
【００５５】
ここで、傾斜部３３ｂがプラグ用ハウジング２１を押した先の、リセプタクルコネクタ３０の壁面Ｈｂ１には、内部空間ＳＰに向けて突出した係止部３２ａが設けられている。
【００５６】
また、傾斜部３３ｂによって押された際に係止部３２ａと当接するプラグコネクタ２０の壁面Ｈａ３には、係止部３２ａと係合可能に構成された、係合部２２ｃが設けられている。
【００５７】
よって、プラグコネクタ２０の挿入壁部２２ａ１，２２ａ２，２２ａ３の、リセプタクルコネクタ３０に形成された内部空間ＳＰへの挿入が完了すると、プラグコネクタ２０の係合部２２ｃとリセプタクルコネクタ３０の係止部３２ａとは、図１０（ｂ）（図１０（ａ）のＥ−Ｅ線で示す断面）に示すように、係合する。
【００５８】
このとき、プラグ用ハウジング２１が傾斜部３３ｂの弾性力で押され続ける。このため、係合部２２ｃと係止部３２ａとの係合は、強固である。よって、プラグコネクタ２０が実装されたＦＰＣの煽り、或いは、プラグコネクタ２０が実装されたＦＰＣに対して垂直となる方向への作業者の引っ張り等によって、プラグコネクタ２０に＋ｚ方向の力が加えられても、電気コネクタ１０は、プラグコネクタ２０とリセプタクルコネクタ３０との嵌合状態を維持できる。
【００５９】
また、電気コネクタ１０では、ＦＰＣが延在している側（図８（ｂ）に示すｘ軸方向側、ＦＰＣの取手Ｇｐが配置されている側とは反対側）に、係合部２２ｃと係止部３２ａとを配置している。このため、電気コネクタ１０は、ＦＰＣの煽りに強い。なお、煽りとは、図８（ｂ）に示すｚ軸方向への動きである。
【００６０】
なお、プラグコネクタ２０とリセプタクルコネクタ３０とが嵌合すると、プラグ用コンタクト２３とリセプタクル用コンタクト３３とが電気的に接続される。
【００６１】
リセプタクルコネクタ３０からプラグコネクタ２０を抜去する場合、作業者は、図１１（ｂ）（図１１（ａ）のＦ−Ｆ線で示す断面）に示すように、プラグ用ハウジング２１の短手方向にあり、且つ、プラグ用ハウジング２１の外部壁部２２ｂ側にある、ＦＰＣの取手Ｇｐを、＋ｚ方向に持ち上げる。
【００６２】
すると、プラグ用ハウジング２１には、係止部３２ａに係合した係合部２２ｃを支点にした、ｚ軸方向に回動する力が加えられる。これにより、プラグ用ハウジング２１は、係合部２２ｃを支点として、ｚ軸方向に回動する。また、内部コンタクト２３ｂの直線部分２３ｂ２は、傾斜部３３ｂの傾斜に沿うようにした当接を維持した状態で、傾斜部３３ｂを、壁部３２の壁面Ｈｂ３に近づけるように押す。
【００６３】
これにより、プラグ用ハウジング２１の挿入壁部２２ａ１，２２ａ２，２２ａ３は、＋ｚ方向に移動し、リセプタクル用ハウジング３１に形成された内部空間ＳＰから離脱し始める。作業者は、ＦＰＣの取手Ｇｐを＋ｚ方向に更に持ち上げることで、係合部２２ｃと係止部３２ａとの係合を解除して、プラグ用ハウジング２１の挿入壁部２２ａ１，２２ａ２，２２ａ３を、リセプタクルコネクタ３０に形成された内部空間ＳＰから完全に離脱させる。このようにして、作業者は、リセプタクルコネクタ３０からプラグコネクタ２０を抜去できる。
【００６４】
なお、リセプタクルコネクタ３０からプラグコネクタ２０を抜去する際、作業者は、次のようにしてもよい。即ち、作業者は、傾斜部３３ｂの弾性力で押される方向とは逆方向（−ｘ方向）にプラグ用ハウジング２１を移動させ、係合部２２ｃと係止部３２ａとの係合を解除する。この状態で、作業者はリセプタクルコネクタ３０とプラグコネクタ２０とを引き離すことで、リセプタクルコネクタ３０からプラグコネクタ２０を抜去してもよい。
【００６５】
上述した通り、本実施の形態の電気コネクタ１０では、係合部２２ｃ、係止部３２ａが、即ち、一方のコネクタと他方のコネクタとの嵌合状態を維持するための機構が、プラグコネクタ２０の壁部２２、リセプタクルコネクタ３０の壁部３２に備えられている。よって、プラグ用ハウジング２１の一部がリセプタクル用ハウジング３１に挿入されると、係合部２２ｃと係止部３２ａとが係合して、コネクタ同士が嵌合状態になる。
【００６６】
また、電気コネクタ１０によれば、係合部２２ｃと係止部３２ａとの係合部分を中心としてプラグ用ハウジング２１が外部に向かって回動させられると、係合部２２ｃと係止部３２ａとの係合が解除され、更には、リセプタクルコネクタ３０とプラグコネクタ２０とが引き離されて、リセプタクルコネクタ３０からプラグコネクタ２０が抜去される。或いは、傾斜部３３ｂの弾性力で押される方向とは逆方向（−ｘ方向）にプラグ用ハウジング２１が移動させられ、係合部２２ｃと係止部３２ａとの係合が解除された状態で、リセプタクルコネクタ３０とプラグコネクタ２０とが引き離されれば、リセプタクルコネクタ３０からプラグコネクタ２０が抜去される。
【００６７】
このように、本実施の形態の電気コネクタ１０によれば、一般的なコネクタと同様な嵌合作業および抜去作業を実現できる。
【００６８】
ここで、プラグ用ハウジング２１の一部がリセプタクル用ハウジング３１に挿入されると、傾斜部３３ｂの弾性力でプラグ用ハウジング２１が押される。このため、係合部２２ｃが係止部３２ａに押し当てられる。従って、本実施の形態の電気コネクタ１０によれば、プラグコネクタ２０が実装されたＦＰＣまたはリセプタクルコネクタ３０が実装されたＰＣＢに発生した煽りによって、或いは、作業者の不意の引っ張り等によって、プラグコネクタ２０とリセプタクルコネクタ３０とに、それらを引き離す力が加えられても、プラグコネクタ２０とリセプタクルコネクタ３０との嵌合状態の維持が可能である。
【００６９】
よって、本実施の形態の電気コネクタ１０によれば、コネクタ同士を嵌合させる作業性、或いは、一方のコネクタから他方のコネクタを抜去させる作業性を低下させることなく、コネクタ同士の嵌合状態の維持が可能である。
【００７０】
なお、嵌合作業とは、プラグコネクタ２０とリセプタクルコネクタ３０とを嵌合状態にする作業であり、抜去作業とは、リセプタクルコネクタ３０からプラグコネクタ２０を抜去した状態にする作業である。
【００７１】
また、上述した通り、本実施の形態の電気コネクタ１０では、係合部２２ｃ、係止部３２ａが、即ち、一方のコネクタと他方のコネクタとの嵌合状態を維持するための機構が、プラグコネクタ２０の壁部２２、リセプタクルコネクタ３０の壁部３２と共に、一体成形されている。
【００７２】
よって、電気コネクタ１０を組み立てる際、作業者は、嵌合状態を維持するための機構を、プラグコネクタ２０、リセプタクルコネクタ３０に取り付ける必要がない。従って、本実施の形態の電気コネクタ１０によれば、容易に組み立て可能である。
【００７３】
以上、本発明の実施の形態を説明したが、この発明は上記の実施の形態に限定されず、種々の変形及び応用が可能である。
【００７４】
例えば、本実施の形態では、傾斜部３３ｂは、リセプタクル用ハウジング３１に形成された内部空間ＳＰの底側から入口側に向かうに連れて、壁部３２の壁面Ｈｂ３から離れるように、プラグコネクタ２０の挿入の方向に対して傾斜して、壁部３２に配置されていたが、これに限られるものではない。
【００７５】
傾斜部３３ｂは、プラグコネクタ２０の挿入の方向（−ｚ方向）に対して傾斜して、壁部３２に配置されていればよい。よって、傾斜部３３ｂは、リセプタクル用ハウジング３１に形成された内部空間ＳＰの底側から入口側に向かうに連れて、壁部３２の壁面Ｈｂ３に近づくように、プラグコネクタ２０の挿入の方向に対して傾斜して、壁部３２に配置されていてもよい。
【００７６】
また、本実施の形態では、プラグ用ハウジング２１とリセプタクル用ハウジング３１とが略矩形状であったが、これに限られるものではない。プラグ用ハウジング２１とリセプタクル用ハウジング３１とは、プラグコネクタ２０とリセプタクルコネクタ３０とが嵌合可能であれば、例えば、正方形状でも、楕円状であってもよい。
【００７７】
また、本実施の形態では、内部コンタクト２３ｂの直線部分２３ｂ２は、傾斜部３３ｂと当接した際、傾斜部３３ｂの傾斜に沿うように、プラグコネクタ２０の挿入方向に対して傾斜して、挿入壁部２２ａ１に配置されていた。しかし、これに限られるものではない。
【００７８】
内部コンタクト２３ｂの直線部分２３ｂ２は、傾斜部３３ｂと当接して傾斜部３３ｂを付勢できるのであれば、プラグコネクタ２０の挿入方向に対して傾斜していても、プラグコネクタ２０の挿入方向に対して略平行であってもよい。
【００７９】
本発明は、本発明の広義の精神と範囲を逸脱することなく、様々な実施形態及び変形が可能とされるものである。また、上述した実施形態は、本発明を説明するためのものであり、本発明の範囲を限定するものではない。すなわち、本発明の範囲は、上述した実施形態ではなく、請求の範囲によって示される。そして、請求の範囲内及びそれと同等の発明の意義の範囲内で施される様々な変形が、本発明の範囲内とみなされる。
【符号の説明】
【００８０】
１０  電気コネクタ、２０  プラグコネクタ、２１  プラグ用ハウジング、２２，３２  壁部、２２ａ１，２２ａ２，２２ａ３  挿入壁部、２２ｂ  外部壁部、２２ｃ  係合部、２３  プラグ用コンタクト、２３ａ  貫通コンタクト、２３ｂ  内部コンタクト、２３ｂ１  曲線部分、２３ｂ２  直線部分、２４  基板接続板、３０  リセプタクルコネクタ、３１  リセプタクル用ハウジング、３２ａ  係止部、３３  リセプタクル用コンタクト、３３ａ  取付コンタクト、３３ｂ  傾斜部、３３ｃ  縁部、３４  基板接続板、Ｇｐ  取手、Ｈａ１，Ｈａ２，Ｈａ３，Ｈｂ１，Ｈｂ２，Ｈｂ３  壁面、ＳＰ  内部空間、ＳＱ  接続空間。
【図１】
2016025021.tif 000003
【図２】
2016025021.tif 000004
【図３】
2016025021.tif 000005
【図４】
2016025021.tif 000006
【図５】
2016025021.tif 000007
【図６】
2016025021.tif 000008
【図７】
2016025021.tif 000009
【図８】
2016025021.tif 000010
【図９】
2016025021.tif 000011
【図１０】
2016025021.tif 000012
【図１１】
2016025021.tif 000013